(57)【特許請求の範囲】
【請求項１】
空気の流れ方向における上流側にて空気を捕集するフード部と、前記フード部にて捕集した空気を排気する排気部とからなるレンジフードであって、
前記排気部は、
前記上流側に空気を吸い込む吸込口と、
前記吸込口より吸い込んだ空気を排出する排出口と、
前記吸込口と前記排出口とを連通する送風路と、
前記送風路の内部に設けられ前記吸込口から前記排出口へと空気を導く送風機と、
前記送風路の内部かつ前記送風機の上流側に設けられた能動消音風路と、
前記能動消音風路内の消音を行う能動消音装置とを備え、
前記フード部は、
略矩形形状であり、
前記吸込口に連通する下流側開口部と、
前記下流側開口部の上流側に設けられた前記下流側開口部より面積の大きな上流側開口部と、
前記上流側開口部と前記下流側開口部の間に前記排出口に対して背面を傾斜して設けられた整流板と、
前記上流側開口部の内側周縁と前記整流板の外側周縁とで構成され前記フード部への空気の取り込み口となる捕集口とを備え、
前記整流板は、前記背面の裏面である正面も前記排出口に対して傾斜して設けられ、
前記捕集口は、前記フード部の所定の側面における捕集口が、前記所定の側面の対面における捕集口よりも小さいレンジフード。
【請求項２】
前記下流側開口部は、
前記フード部の所定の側面における捕集口との距離が、
前記フード部の前記所定の側面の対面における捕集口との距離よりも長い請求項１に記載のレンジフード。
【請求項３】
前記所定の側面には、
前記送風機を操作する操作部が配置されている請求項１又は２に記載のレンジフード。
【請求項４】
前記能動消音風路は、
角筒形状であり、
前記能動消音装置は、
前記上流側より上流マイク、スピーカ、下流マイクをこの順で備え、
前記上流マイク及びスピーカを、前記能動消音風路における、前記フード部の前記所定の側面との距離が近い内面に備えた請求項１から３のいずれかに記載のレンジフード。
【請求項５】
空気の流れ方向における上流側にて空気を捕集するフード部と、前記フード部にて捕集した空気を排気する排気部とからなるレンジフードであって、
前記排気部は、
前記上流側に空気を吸い込む吸込口と、
前記吸込口より吸い込んだ空気を排出する排出口と、
前記吸込口と前記排出口とを連通する送風路と、
前記送風路の内部に設けられ前記吸込口から前記排出口へと空気を導く送風機と、
前記送風路の内部かつ前記送風機の上流側に設けられた能動消音風路と、
前記能動消音風路内の消音を行う能動消音装置とを備え、
前記フード部は、
前記吸込口に連通する下流側開口部と、
前記下流側開口部の上流側に設けられた前記下流側開口部より面積の大きな上流側開口部と、
前記上流側開口部と前記下流側開口部の間に前記排出口に対して背面を傾斜して設けられた整流板と、
前記上流側開口部の内側周縁と前記整流板の外側周縁とで構成され前記フード部への空気の取り込み口となる捕集口とを備え、
前記整流板は、
断面視にして略くの字形状の折り曲げ構造を有し、
前記下流側開口部の上流側延長上に前記折り曲げ構造における折り曲げ部を配置したレンジフード。
【請求項６】
前記能動消音風路は、
前記流れ方向に平行な分離板にて少なくとも２分割され、
前記整流板は、
前記分離板の前記上流側への延長線上に前記折り曲げ構造における折り曲げ部を配置した請求項５に記載のレンジフード。
【請求項７】
空気の流れ方向における上流側にて空気を捕集するフード部と、前記フード部にて捕集した空気を排気する排気部とからなるレンジフードであって、
前記排気部は、
前記上流側に空気を吸い込む吸込口と、
前記吸込口より吸い込んだ空気を排出する排出口と、
前記吸込口と前記排出口とを連通する送風路と、
前記送風路の内部に設けられ前記吸込口から前記排出口へと空気を導く送風機と、
前記送風路の内部かつ前記送風機の上流側に設けられた能動消音風路と、
前記能動消音風路内の消音を行う能動消音装置とを備え、
前記フード部は、
前記吸込口に連通する下流側開口部と、
前記下流側開口部の上流側に設けられた前記下流側開口部より面積の大きな上流側開口部と、
前記上流側開口部と前記下流側開口部の間に前記排出口に対して背面を傾斜して設けら
れた整流板と、
前記上流側開口部の内側周縁と前記整流板の外側周縁とで構成され前記フード部への空気の取り込み口となる捕集口とを備え、
前記整流板は、
前記背面の裏面である正面が前記吸込口に対して平行に設けられたレンジフード。
【発明の詳細な説明】
【技術分野】
【０００１】
本発明は、騒音を低減したレンジフードに関するものである。
【背景技術】
【０００２】
近年、住居の間取りの多様化にともない、同一空間に台所とリビングとが設けられるケースが増加している。これに伴いリビングへの騒音の侵入を防止して静粛性を保つため、台所に設置されるレンジフードは運転時に発生する騒音を低下させることがより求められている。
【０００３】
このような課題を解決する手段の一つとして、レンジフード内に能動消音ユニットを搭載することが知られている。（例えば特許文献１参照）。
【０００４】
以下、そのレンジフードについて図７を参照しながら説明する。
【０００５】
図７に示すように、従来のレンジフードは、レンジフード１０１内上方に送風機１０２と中位置に能動騒音ユニット１０３と下方にフード１０４を備えたものであった。このようなレンジフード１０１では、送風機１０２の吸込口１０５とフード１０４の開口１０６との間に風路１０７が形成され、この風路１０７に能動騒音装置１０３を配置したものであった。
【０００６】
能動消音装置１０３は、吸込口１０５に近い側から騒音検知マイク１０８、スピーカ１０９をこの順に配置していた。
【０００７】
そして、送風機１０２の運転によって発生する騒音を騒音検知マイク１０８によって検出し、検出した騒音に対してスピーカ１０９から逆位相の音を発して風路１０７内で騒音を打ち消して騒音の低減を図るものであった。
【０００８】
また、フード１０４の開口１０６には、流速を大きくして調理時に発生する油煙を十分に捕集するため、整流板１１０が水平に配置されていた。
【先行技術文献】
【特許文献】
【０００９】
【特許文献１】特開２０１４‐０５５７２６号公報
【発明の概要】
【発明が解決しようとする課題】
【００１０】
しかしながら上記特許文献１に記載のレンジフードでは、例えば能動消音装置１０３の送風機側の開口である吸込口１０５やフード側の開口１０６は、整流板１１０との距離が一様になってしまう。このためレンジフード内部は共鳴空間となり、定在波が発生することが確認された。そして、この定在波の影響のために、騒音検知マイク１０８の位置では特定の周波数で節が発生してしまい、騒音を正確に検知することができないことが判明した。
【００１１】
つまり、距離が一様な開口や平板によって発生する定在波の影響により消音効果が低下するという課題があった。
【００１２】
そこで本発明は、上記課題を解決するものであり、能動消音装置の消音効果を向上させたレンジフードを提供することを目的とする。
【課題を解決するための手段】
【００１３】
そして、本発明は上記目的を達成するために、空気の流れ方向における上流側にて空気を捕集するフード部と、前記フード部にて捕集した空気を排気する排気部とからなるレンジフードであって、前記排気部は、前記上流側に空気を吸い込む吸込口と、前記吸込口より吸い込んだ空気を排出する排出口と、前記吸込口と前記排出口とを連通する送風路と、前記送風路の内部に設けられ前記吸込口から前記排出口へと空気を導く送風機と、前記送風路の内部かつ前記送風機の上流側に設けられた能動消音風路と、前記能動消音風路内の消音を行う能動消音装置とを備え、前記フード部は、前記吸込口に連通する下流側開口部と、前記下流側開口部の上流側に設けられた前記下流側開口部より面積の大きな上流側開口部と、前記上流側開口部と下流側開口部の間に前記吸込口に対して背面を傾斜して設けられた整流板と、前記上流側開口部の内側周縁と前記整流板の外側周縁とで構成され前記フード部への空気の取り込み口となる捕集口とを備えたものであって、これによって所期の目的を達成するものである。
【発明の効果】
【００１４】
本発明によれば、レンジフード内部空間における定在波の影響を軽減したレンジフードを提供することができる。
【図面の簡単な説明】
【００１５】
【図１】本発明の実施の形態１に係るレンジフードの設置状態を示す図
【図２】同レンジフードの側断面図
【図３】同レンジフードの能動消音装置の側断面図
【図４】同レンジフードのフード部周辺の構成を示す側断面図
【図５】本発明の実施の形態２に係るレンジフードの側断面図
【図６】同レンジフードの平面視における断面図
【図７】従来のレンジフードの側断面図
【発明を実施するための形態】
【００１６】
本発明の実施の形態に係るレンジフードは、空気の流れ方向における上流側にて空気を捕集するフード部と、前記フード部にて捕集した空気を排気する排気部とからなるレンジフードであって、前記排気部は、前記上流側に空気を吸い込む吸込口と、前記吸込口より吸い込んだ空気を排出する排出口と、前記吸込口と前記排出口とを連通する送風路と、  前記送風路の内部に設けられ前記吸込口から前記排出口へと空気を導く送風機と、前記送風路の内部かつ前記送風機の上流側に設けられた能動消音風路と、前記能動消音風路内の消音を行う能動消音装置とを備え、前記フード部は、前記吸込口に連通する下流側開口部と、前記下流側開口部の上流側に設けられた前記下流側開口部より面積の大きな上流側開口部と、前記上流側開口部と下流側開口部の間に前記吸込口に対して背面を傾斜して設けられた整流板と、前記上流側開口部の内側周縁と前記整流板の外側周縁とで構成され前記フード部への空気の取り込み口となる捕集口とを備えたものである。これにより、能動消音装置の送風機側の開口またはフード側の開口と整流板の背面との距離は一様でなく、位置によって距離が異なるようにでき、レンジフード内部空間に定在波が発生することを防止することができる。したがって、能動騒音装置の騒音検知マイクの位置に特定周波数の節が発生することがなくなり、騒音を正確に検知することができ、能動消音装置の消音効果の向上することができる。
【００１７】
また本発明の実施の形態に係るレンジフードは、前記フード部は、略矩形形状であり、前記整流板は、前記背面の裏面である正面も前記吸込口に対して傾斜して設けられ、前記捕集口は、前記フード部の所定の側面における捕集口が、前記所定の側面の対面における捕集口よりも小さいものである。
【００１８】
これにより、フード部の所定の側面における捕集口の圧損が、所定の側面の対面における捕集口の圧損よりも大きくなるため、油煙は所定の側面の対面における捕集口からより吸込まれやすくなる。つまり、所定の側面側から吸い込まれる油煙の流入量を少なくすることができ、所定の側面側の上流側開口部周辺の空間が油煙に曝されるのを抑制することができる。
【００１９】
また本発明の実施の形態に係るレンジフードは、前記フード部は、略矩形形状であり、前記整流板は、前記背面の裏面である正面も前記吸込口に対して傾斜して設けられ、前記下流側開口部は、前記フード部の所定の側面における捕集口との距離が、前記フード部の前記所定の側面の対面における捕集口との距離よりも長いものである。
【００２０】
これにより、フード部の所定の側面における捕集口からフード部の下流側開口部までの圧損が、所定の側面の対面における捕集口からフード部の下流側開口部の圧損よりも大きくなるため、油煙は所定の側面の対面における捕集口からより吸込まれやすくなる。つまり、所定の側面における捕集口から吸い込まれる油煙の流入量を少なくすることができ、所定の側面側の上流側開口部周辺の空間が油煙に曝されるのを抑制することができる。
【００２１】
また本発明の実施の形態に係るレンジフードは、前記所定の側面には、前記送風機を操作する操作部が配置されているものである。
【００２２】
これにより、調理者はより油煙の流入量が少ない所定の側面側でレンジフードを操作して調理を行うことになるため、油煙に曝されることを抑制することができる。
【００２３】
また本発明の実施の形態に係るレンジフードは、前記能動消音風路は、角筒形状であり、前記能動消音装置は、前記上流側より上流マイク、スピーカ、下流マイクをこの順で備え、前記上流マイク及びスピーカを、前記能動消音風路における、前記フード部の前記所定の側面との距離が近い内面に備えたものである。
【００２４】
これにより、所定の側面における捕集口からの流入量は所定の側面の対面における捕集口からの流入量より少ないことから、排気部の吸込口周辺において、所定の側面との距離が近い内面における気流は所定の側面の対面との距離が近い内面における気流と比べて疎の状態となるため、上流マイクとスピーカに触れる気流を少なくすることができる。その結果、エラーマイクとスピーカに付着する汚れを少なくすることができ、消音効果を長期にわたり維持させることができる。
【００２５】
また本発明の実施の形態に係るレンジフードは、前記整流板は、断面視にして略くの字形状の折り曲げ構造を有し、前記下流側開口部の上流側延長上に前記折り曲げ構造における折り曲げ部を配置したものである。
【００２６】
これにより、能動消音装置の送風機側の開口またはフード側の開口と整流板の背面との距離は一様でなく、位置によって距離が異なるようにでき、レンジフード内部空間に定在波が発生することを防止することができる。したがって、能動騒音装置の騒音検知マイクの位置に特定周波数の節が発生することがなくなり、騒音を正確に検知することができ、能動消音装置の消音効果の向上することができる。
【００２７】
また本発明の実施の形態に係るレンジフードは、前記能動消音風路は、前記流れ方向に平行な分離板にて少なくとも２分割され、前記整流板は、前記分離板の前記上流側への延長線上に前記折り曲げ構造における折り曲げ部を配置したものである。
【００２８】
これにより、能動消音装置の送風機側の開口またはフード側の開口と整流板の背面との距離は一様でなく、位置によって距離が異なるようにでき、レンジフード内部空間に定在波が発生することを防止することができる。したがって、能動騒音装置の騒音検知マイクの位置に特定周波数の節が発生することがなくなり、騒音を正確に検知することができ、能動消音装置の消音効果の向上することができる。
【００２９】
また本発明の実施の形態に係るレンジフードは、前記整流板は、前記背面の裏面である正面が前記吸込口に対して平行に設けられたものである。
【００３０】
これにより、レンジフードの外観を損なわずに、能動消音装置の送風機側の開口またはフード側の開口と整流板の背面との距離が異なるようにでき、レンジフード内部空間において定在波が発生することを防止し、能動消音装置の消音効果の向上することができる。
【００３１】
（実施の形態１）
まず、図１を用いて本実施の形態に係るレンジフードの設置状態について説明する。なお、図１は、本発明の実施の形態１に係るレンジフードの設置状態を示す図である。
【００３２】
図１に示すように、厨房に取り付けるレンジフード１は、加熱調理機器２の上方に取り付けられている。このレンジフード１は、加熱調理機器２の上面を覆うように配置したフード部３と、このフード部３の中央上面側に突出して形成した排気部４から構成される。なお、図１における矢印Ｘ方向から見た際のレンジフード１の一側面、すなわち調理者が調理時に向かい合うレンジフードの面をレンジフード正面と定義する。また、レンジフードの後述する送風機を操作する操作部５はフード部３のレンジフード正面側の側面に配置されている。
【００３３】
続いて、図２を用いて、レンジフード１の構成について説明する。なお、図２は、本発明の実施の形態１に係るレンジフードの側断面図である。
【００３４】
図２に示すように、レンジフード１は、直方体の排気部４とこの排気部４の下部（図の下方向であって、後述する上流方向）にフード部３を備えている。
【００３５】
排気部４は、天面６（図面の上方向であって、後述する下流方向）に開口した排出口７と、下部に開口した吸込口８を有する、縦長の直方体形状である。排出口７にダクト９を接続することで、レンジフード１を屋外に連通させることができる。なお、ダクト９はレンジフード１には含まれない。また、吸込口８はフード部３の下流側開口部１０と連通されている。
【００３６】
排気部４内部には、排出口７に吐出口１１を開口する送風機１２と、この送風機１２の流入口１３を開口した送風空間１４を備え、上流側には吸込口８と送風空間１４を連通する能動消音風路１５を備えている。すなわち、送風機１２は、排気部４の上部にあって、吸込口８と排出口７とを結ぶ送風路１６内の空気を排気するものである。
【００３７】
能動消音風路１５は、周囲を内壁２９に囲まれている。能動消音風路１５における内壁２９のさらに外側には、排気部４の側面板の内側である内側壁３０が位置し、即ち能動消音風路１５は二重壁を備えることで外部への騒音の放出を押さえる構成となっている。そして、排気部４の内部で送風機１２の上流側に備えられた能動消音風路１５には、能動消音風路１５内を伝播する騒音を検出する下流マイク１７と、下流マイク１７によって検出された騒音とは逆位相の音を能動消音風路１５内に放出するスピーカ１８と、スピーカ１８から能動消音風路１５に放出された音によって減衰した騒音を検出する上流マイク１９と、これらを接続し送風機１２の騒音を常に消音し続ける演算制御器（図示せず）とから構成された能動消音装置２０を備えている。
【００３８】
フード部３は、天面板２１と、天面板２１の中央部に設けた下流側開口部１０と、この天面板２１の外周を囲む側壁２４とを備えたものである。また、フード部３内には、下流側開口部１０近傍に設置し、吸い込んだ空気から油塵を除去するフィルタ２２と、下流側開口部１０の下方（図面の下方向であって、後述する上流方向）に設置する整流板２３とを備えている。フィルタ２２は必要に応じて備えるものであり必須の構成ではない。
【００３９】
天面板２１は、フード部３の上方（図面の上方向であって、後述する下流方向）の一面を構成し、下流側開口部１０は、断面が略正方形の開口であって天面板２１の上面側に設けた排気部４に連通している。天面板２１の縁部には、側壁２４が下方（図面の下方向であって、後述する上流方向）にむけて突出しており、この側壁２４と天面板２１とによって、下方に開口する上流側開口部２５を形成している。
【００４０】
整流板２３は、上流側開口部２５と下流側開口部１０の間に、吸込口８に対して傾斜を持って配置された板体である。これにより、上流側開口部２５の内側周縁２６と整流板２３の外側周縁２７とによって、フード部３への空気の取り込み口となる捕集口２８が形成されている。また、整流板２３は、捕集口２８の気流の流速を確保するために設けられており、天面板２１の中央部に設けた下流側開口部１０を下方から覆う構成となっている。なお、整流板２３の加熱調理機器２に対向する面を正面、吸込口８に対向する面を背面として定義する。続いて、図３を用いて、能動消音装置２０の構成について詳しく説明する。なお、図３は、能動消音装置２０の側断面図（ただし周囲の開口部等を含む）である。能動消音装置２０は、図３に示すように、能動消音風路１５の内壁２９に吸込口８側から順に、上流マイク１９、スピーカ１８、下流マイク１７、及び、下流マイク１７と上流マイク１９の信号から位相と振幅を調整した音声信号を生成してスピーカ１８から発振させる演算制御器３１を備えている。
【００４１】
上流マイク１９とスピーカ１８は能動消音風路１５におけるレンジフード正面側の内壁２９に設置されている。
【００４２】
なお、上流マイク１９とスピーカ１８は、能動消音風路１５の高さ方向において中央部より吸込口８側に寄せると共に、下流マイク１７は、同じく中央部より騒音源である送風機１２側に寄せて設置している。結果として上流マイク１９とスピーカ１８とは下流マイク１７に比べて送風機１２から遠い位置に配置されている。
【００４３】
演算制御器３１は、上流マイク１９、スピーカ１８、下流マイク１７に接続されており、能動消音風路１５と排気部４の内側壁３０との間の空間に配置されている。この空間は、排気部４の内側壁３０を一周する角筒形状を成しており、天面板２１に接する上流側板３２と、能動消音風路１５の下流端から排気部４の内側壁３０の方向に伸びる下流側板３３とにより送風路１６とは独立した空間を構成している。なお、上流側板３２は必ずしも必要でなく、天面板２１が上流側板３２として機能してもよい。このように、送風路１６とは独立した空間に演算制御器３１を備えることで、煙や油煙、あるいは湯気等から隔離している。
【００４４】
上記構成において、レンジフード１を運転させると、送風機１２の動作によって、捕集口２８からダクト９方向に流れる気流が発生し、調理時に下方（上流方向）から上昇してくる油煙や水蒸気を含んだ空気を捕集することとなる。
【００４５】
捕集口２８から整流板２３の背面に流れ込んだ気流は、整流板２３と天面板２１との間の空間に沿って進行し、吸込口８まで案内される。吸込口８から吸い込まれた空気は、能動消音風路１５、送風空間１４、流入口１３、送風機１２の順に送風路１６を通過した後、吐出口１１からダクト９を通って排気部４外へと排気される。送風路１６に能動消音装置２０を備えていることで、送風機１２から放射される騒音は下流マイク１７で検出されて、演算制御器３１によってコントロールされた逆位相の音をスピーカ１８から発することとなり、送風に伴う送風機１２の騒音は低減される。捕集口２８からは低減された騒音が放射されることになる。
【００４６】
以上が本実施の形態のレンジフード１の基本的な動作である。本実施の形態の特徴である傾斜をもって設置した整流板２３の構成とその作用について、図４を用いて説明をする。なお、図４は、本発明の実施の形態１に係るレンジフード１のフード部３周辺の構成を示す側断面図である。
【００４７】
図４に示すように、整流板２３は、下流側開口部１０の下方（上流方向）に、下流側開口部１０を覆うようにして、背面４０と正面４１が吸込口８に対して傾斜を持って配置されている。すなわち、吸込口８より面積の大きい板体である。
【００４８】
これによって、例えば能動消音装置２０の送風機１２側の開口と整流板２３の背面４０との距離Ｌは、能動消音風路１５のレンジフード正面側の内壁２９からレンジフード背面側の内壁２９へ移動するにしたがって大きくなる。すなわち、能動消音風路１５の送風機１２側の開口と整流板２３の背面４０は平行とならず、水平方向の位置によって距離が異なるようにできるので、能動消音風路１５内に定在波が発生することが極めて少なくなる。
【００４９】
したがって、上流マイク１９および下流マイク１７において、特定の周波数の音に対する節が発生すことがなくなり、対象とする周波数帯域において騒音の検知性能を安定化することができる。騒音の検知性能が安定することで、能動消音の効果は格段に向上する。
【００５０】
同様に、能動消音風路１５のフード側の開口と整流板２３の背面４０は平行とならず、水平方向の位置によって距離が異なるようにできるので、能動消音風路１５内に定在波が発生することが極めて少なくなる。
【００５１】
また、排気部４の天面６（図４には示さず）と整流板２３の背面４０との距離は平行とならず、水平方向の位置によって、距離が異なるようにできるので、送風空間１４と能動消音風路１５を合わせた空間、すなわち送風路１６に定在波が発生することも極めて少なくなり、能動消音装置２０内に定在波が到達することがなくなる。
【００５２】
したがって、上流マイク１９および下流マイク１７において、特定の周波数の音に対する節が発生すことがなくなり、対象とする周波数帯域において騒音の検知性能を安定化する効果を奏する。
【００５３】
結果として、レンジフード１内の空間を定在波が発生しにくい空間とすることができ、能動消音の効果を向上することができる。
【００５４】
次に、気流の流れに着目すると、図４に示すように、フード部３のレンジフード正面側における側壁２４の内側周縁２６と、下流側開口部１０を構成するレンジフード正面側の一辺との距離Ｌ１は、フード部３の背面側における側壁２４の内側周縁２６と、下流側開口部１０を構成する背面側の一辺との距離Ｌ２よりも大きくなるように下流側開口部１０を配置している。すなわち、レンジフード正面側における捕集口２８から流入し、吸込口８へと到達する気流の経路の方が、背面側における捕集口２８から流入し、吸込口８へと到達する気流の経路よりも長く構成している。
【００５５】
これによって、レンジフード正面側における捕集口２８から流入する気流の経路が背面側における捕集口２８から流入する気流の経路に比べ、圧損が大きくなる。したがって、レンジフード正面側よりもレンジフード背面側の捕集口２８から気流が吸い込まれやすくなる。
【００５６】
また、図４に示すように、フード部３の正面側における内側周縁２６と、整流板２３のレンジフード正面側における外側周縁２７との距離Ｌｘは、フード部３のレンジフード背面側における内側周縁２６と、整流板２３のレンジフード背面側における外側周縁２７との距離Ｌｙよりも小さくなるように整流板２３を配置している。すなわち、正面側における捕集口２８の幅（開口幅）の方が、背面側における捕集口２８の幅（開口幅）よりも短く構成している。これによって、レンジフード正面側における捕集口２８がレンジフード背面側における捕集口２８に比べ、圧損が大きくなる。したがって、更に正面側よりも背面側の捕集口２８から気流が吸い込まれやすくなる。
【００５７】
結果として、調理時に下方（上流方向）から上昇してくる油煙や水蒸気を含んだ空気は背面側における捕集口２８からより多く捕集されることになり、調理者が油煙や水蒸気を含んだ空気に曝されることを抑制することができる。
【００５８】
次に、気流の流れに着目した消音効果について、説明する。
【００５９】
図４に示すように、上流マイク１９とスピーカ１８は、能動消音風路１５の内壁２９のうちフード部３のレンジフード正面側の側面との距離が近い内面、すなわち能動消音風路１５のレンジフード正面側の内壁２９に備えられている。また、先述したように、油煙や水蒸気を含んだ空気はレンジフード背面側における捕集口２８から捕集される気流よりも、レンジフード正面側における捕集口２８から補修される気流の方が少ない。よって、排気部４の吸込口８周辺において、能動消音風路１５のレンジフード正面側の内壁２９における気流はレンジフード背面側の内壁２９における気流と比べて疎の状態となる。
【００６０】
これによって、上流マイク１９とスピーカ１８が触れる油煙を含んだ気流を少なくすることができる。長期にわたりマイクやスピーカ１８が油煙や水分を含んだ空気に曝されると、表面に汚れが付着し、マイクの騒音検知性能が低下する恐れや、スピーカが正しい信号を出力できなくなる恐れがある。しかし上記構成とすることで、上流マイク１９やスピーカ１８に汚れが付着することを抑制することができ、消音効果を長期にわたり維持させることができる。
【００６１】
なお、下流マイク１７は送風機１２側に寄せて設置されており、気流が十分に整流されるための距離を確保することができるため、所定の面（レンジフード正面側の内壁２９）に下流マイク１７を配置しなくても良い。
【００６２】
以上のように、整流板２３に傾斜を持たせ、更に正面側の捕集口２８の圧損が高くなるように配置することで、以下のような効果を得ることができる。すなわち、消音性能を向上させ、かつ上流マイク１９とスピーカ１８を調理時に発生する気流に曝すことによる性能の劣下を防止して、長期わたる消音性能を確保したレンジフードを実現することができるのである。
【００６３】
（実施の形態２）
続いて、図５および図６を用いて本実施の形態２に係るレンジフードについて説明する。なお、図５は、本発明の実施の形態２に係るレンジフード１ｂの側断面図であり、図６はレンジフード１ｂの平面視（送風方向に垂直であって、後述する通風断面）における断面図である。なお、実施の形態２において、実施の形態１と同様の構成要素については同一の符号を付し、その詳細な説明は省略する。
【００６４】
図５に示すように、実施の形態２における能動消音風路１５ｂでは、能動消音風路１５内に送風方向と平行に設けられた分割壁５０を配している。つまり能動消音風路１５は、吸込口８から能動消音風路１５の送風機１２側の開口までの空間が分割壁５０によって複数の小さい風路に細分化されている。
【００６５】
細分化の構造をさらに詳細に説明すると、図６に示すように、分割壁５０は、レンジフード正面に対して垂直な分割壁５０Ａと平行な分割壁５０Ｂから構成されており、能動消音風路１５における送風方向に垂直な断面（通風断面）が十字形状である。この十字形状の４つの端部が能動消音風路１５の内壁２９に接することにより独立した４つの分割能動消音風路５１を形成している。すなわち、各分割能動消音風路５１を構成する内壁は２面の分割壁５０と、２面の能動消音風路１５の内壁２９によって構成される略矩形の分割能動消音風路５１である。なお、上流マイク１９、スピーカ１８、下流マイク１７を分割壁５０に配置する場合や、配線や基盤を配置するために、十字形状の分割壁５０の内部に空間を設けても良い。
【００６６】
そして各分割能動消音風路５１は、図５に示すように、吸込口８側から順に、上流マイク１９、スピーカ１８、下流マイク１７を備えている。
【００６７】
一般的にダクト構造における能動消音装置の消音対象周波数の最大値Ｆは、音速Ｖｓとダクト幅Ｌｄによって決定され、具体的にはＦ＝０．５×Ｖｓ／Ｌｄから決定される。すなわちダクト幅Ｌｄが小さいほど高周波まで消音することができる。
【００６８】
したがって、分割能動消音風路５１構成とすることによって、高周波まで消音することができ、消音効果を向上することができる。
【００６９】
整流板２３ｂは、図５に示すように、下流側開口部１０の下方（上流方向）に、下流側開口部１０を覆うようにして設置された、側断面視において略くの字形状の折り曲げ構造の板体である。折り曲げ構造の折り曲げ部５２は、レンジフード正面方向に対して垂直な分割壁５０の上流側への延長線上に配置されている。結果として、整流板２３の背面４０ｂと正面４１ｂは吸込口８に対して傾斜を持って配置されることとなる。
【００７０】
これによって、例えば分割能動消音風路５１の送風機１２側の開口と整流板２３ｂの背面４０ｂとの距離Ｌｂは、分割能動消音風路５１のレンジフード正面に対して垂直な分割壁５０Ａ側から分割能動消音風路５１の内壁２９へ移動するにしたがって大きくなる。すなわち、分割能動消音風路５１の送風機１２側の開口と整流板２３の背面４０ｂは平行とならず水平方向の位置によって、距離が異なるようにできるので、分割能動消音風路５１内に定在波が発生することが極めて少なくなる。
【００７１】
したがって、上流マイク１９および下流マイク１７において、特定の周波数の音に対する節が発生すことがなくなり、対象とする周波数帯域において騒音の検知性能を安定化することができる。騒音の検知性能が安定することで、能動消音の効果は格段に向上する。
【００７２】
同様に、分割能動消音風路５１のフード側の開口と整流板２３の背面４０ｂは平行とならず、水平方向の位置によって距離が異なるようにできるので、分割能動消音風路５１内に定在波が発生することが極めて少なくなる。
【００７３】
また、排気部４の天面６と整流板２３の背面４０ｂとの距離は、平行とならず水平方向の位置によって、距離が異なるようにできるので、送風空間１４と分割能動消音風路５１を合わせた空間に定在波が発生することも極めて少なくなり、分割能動消音風路５１内に定在波が到達することがなくなる。
【００７４】
したがって、上流マイク１９および下流マイク１７において、特定の周波数の音に対する節が発生すことがなくなり、対象とする周波数帯域において騒音の検知性能を安定化する効果を奏する。
【００７５】
結果として、上記構成とすることによって、レンジフード１ｂ内の空間を定在波が発生しにくい空間とすることができ、能動消音の効果を向上することができる。
以上のように、能動消音風路１５を分割壁５０によって分割能動消音風路５１構成とし、整流板２３を略くの字形状として傾斜を持たせることで、高い消音性能を確保したレンジフード１ｂを実現することができるのである。
【産業上の利用可能性】
【００７６】
本発明にかかるレンジフードは、消音効果の低下の要因となる定在波の発生を抑制することができるので、他の換気装置にも応用することができ有用である。
【符号の説明】
【００７７】
１、１ｂ  レンジフード
２  加熱調理機器
３  フード部
４  排気部
５  操作部
６  天面
７  排出口
８  吸込口
９  ダクト
１０  下流側開口部
１１  吐出口
１２  送風機
１３  流入口
１４  送風空間
１５、１５ｂ  能動消音風路
１６  送風路
１７  下流マイク
１８  スピーカ
１９  上流マイク
２０  能動消音装置
２１  天面板
２２  フィルタ
２３、２３ｂ  整流板
２４  側壁
２５  上流側開口部
２６  内側周縁
２７  外側周縁
２８  捕集口
２９  内壁
３０  内側壁
３１  演算制御器
３２  上流側板
３３  下流側板
４０、４０ｂ  背面
４１、４１ｂ  正面
５０、５０Ａ、５０Ｂ  分割壁
５１  分割能動消音風路
５２  折り曲げ部
【図１】
0006405533.tif 000002
【図２】
0006405533.tif 000003
【図３】
0006405533.tif 000004
【図４】
0006405533.tif 000005
【図５】
0006405533.tif 000006
【図６】
0006405533.tif 000007
【図７】
0006405533.tif 000008